(57)【要約】      （修正有）【課題】不本意に運転が停止されることを抑制することが可能な冷温蔵装置を提供する。【解決手段】冷温蔵装置は、カート１０と、カート１０を収容するステーション５０と、を備える冷温蔵装置であって、カート１０は、貯蔵物を収容することが可能な貯蔵室２０を備え、ステーション５０は、貯蔵室２０の内部を加熱または冷却する熱交換手段を有する熱交換室６０と、カート１０がステーション５０に収容された状態において熱交換室６０と貯蔵室２０とを接続し、熱交換手段によって生成された気体を貯蔵室２０内に通気させることが可能な接続手段と、接続手段を、熱交換室６０と貯蔵室２０とを接続する状態である接続状態と、熱交換室６０と貯蔵室２０とを接続しない状態である非接続状態との間で相互に切替える制御を行う制御部と、を備える。【選択図】図３
2020197360.tif 000002
【特許請求の範囲】
【請求項１】
カートと、前記カートを収容するステーションと、を備える冷温蔵装置であって、
前記カートは、貯蔵物を収容することが可能な貯蔵室を備え、
前記ステーションは、
前記貯蔵室の内部を加熱または冷却する熱交換手段を有する熱交換室と、
前記カートが前記ステーションに収容された状態において前記熱交換室と前記貯蔵室とを接続し、前記熱交換手段によって生成された気体を前記貯蔵室内に通気させることが可能な接続手段と、
前記接続手段を、前記熱交換室と前記貯蔵室とを接続する状態である接続状態と、前記熱交換室と前記貯蔵室とを接続しない状態である非接続状態との間で相互に切替える制御を行う制御部と、を備える冷温蔵装置。
【請求項２】
前記接続手段は、一方および他方が開口する筒状のダクトを含み、
前記熱交換室には、前記ダクトの一方側の開口部が接続される第１接続部が設けられ、
前記貯蔵室には、前記ダクトの他方側の開口部と接続することが可能な第２接続部が設けられ、
前記ダクトは、前記ダクトの前記他方側の開口部の位置が前記第２接続部に対して近接ないし離間するよう、変位することが可能な構成とされ、
前記制御部は、前記接続状態においては、前記ダクトの前記他方側の開口部が前記第２接続部に接続された状態となるよう前記ダクトを変位させ、前記非接続状態においては、前記ダクトの前記他方側の開口部と前記第２接続部とが離間した状態となるよう前記ダクトを変位させる請求項１に記載の冷温蔵装置。
【請求項３】
前記接続手段は、モータと、前記モータの駆動力によって、前記ダクトの前記他方側の開口部の位置が前記第２接続部に対して近接ないし離間するよう、前記ダクトの変位を切替える切替え機構と、を備え、
前記制御部は、前記モータの駆動を制御することにより前記切替え機構を制御し、前記接続状態と前記非接続状態とを相互に切替える制御を行う請求項２に記載の冷温蔵装置。
【請求項４】
所定のパスワードを記憶する記憶手段と、
外部からパスワードの入力を受付ける入力受付手段と、を備え、
前記制御部は、
前記所定のパスワードと、前記入力受付手段によって入力されたパスワードとが等しいことを判定する処理を行う判定処理手段と、
前記判定処理手段によって、前記所定のパスワードと前記入力されたパスワードとが等しいと判定された際に、前記接続状態から前記非接続状態に切替える制御を行う接続解除制御手段と、を備える請求項１から請求項３のいずれか一項に記載の冷温蔵装置。
【発明の詳細な説明】
【技術分野】
【０００１】
本開示は、冷温蔵装置に関する。
【背景技術】
【０００２】
従来の冷温蔵装置として、例えば、下記特許文献１に記載の冷温蔵装置が知られている。この冷温蔵装置は、トレイを収納するカートと、カートを出し入れ可能に収納するステーションとから構成されている。
【０００３】
カート内には、冷蔵室と温蔵室とが区画形成されている。カートの天井壁における、冷蔵室および温蔵室と対応した位置には、貯蔵室側通口が開口して設けられている。
【０００４】
ステーションは、トレイに載せられた給食を冷却する冷却手段を備えた第１熱交換室と、トレイに載せられた給食を加熱する加熱手段を備えた第２熱交換室とを備えている。第１熱交換室および第２熱交換室は、ステーションの天井壁の上面側に水平方向に並んで区画形成されている。ステーションの天井壁の下面における、第１熱交換室および第２熱交換室と対応した位置には、熱交換室側通口が開口して設けられている。また、ステーションの天井壁の下面側には、熱交換室側通口と貯蔵室側通口とを接続する通風路が設けられた昇降ダクトが昇降可能に配設されている。
【０００５】
ステーションの前面には、昇降ダクトを操作する操作レバーが設けられている。操作レバーの操作によって昇降ダクトが押し下げられると、熱交換室側通口と貯蔵室側通口とは接続される。この接続された状態において、冷温蔵装置の運転は開始される。また、操作レバーの操作によって昇降ダクトが上昇されると、熱交換室側通口と貯蔵室側通口との接続は解除され、冷温蔵装置の運転は停止する。
【先行技術文献】
【特許文献】
【０００６】
【特許文献１】特開２０１４−０４０９３０号公報
【発明の概要】
【発明が解決しようとする課題】
【０００７】
上記構成において、例えば、冷温蔵装置の運転中に誤ってレバーに人がぶつかったり、いたずらでレバーが操作されたりすることによって、不本意に冷温蔵装置の運転が停止されるおそれがある。
【０００８】
本開示は上記のような事情に基づいて完成されたものであって、不本意に運転が停止されることを抑制することが可能な冷温蔵装置を提供することを目的とする。
【課題を解決するための手段】
【０００９】
上記課題を解決するために、本開示の冷却貯蔵庫は、カートと、前記カートを収容するステーションと、を備える冷温蔵装置であって、前記カートは、貯蔵物を収容することが可能な貯蔵室を備え、前記ステーションは、前記貯蔵室の内部を加熱または冷却する熱交換手段を有する熱交換室と、前記カートが前記ステーションに収容された状態において前記熱交換室と前記貯蔵室とを接続し、前記熱交換手段によって生成された気体を前記貯蔵室内に通気させることが可能な接続手段と、前記接続手段を、前記熱交換室と前記貯蔵室とを接続する状態である接続状態と、前記熱交換室と前記貯蔵室とを接続しない状態である非接続状態との間で相互に切替える制御を行う制御部と、を備える。
【００１０】
制御部が、接続手段を接続状態と非接続状態とに切替わるよう制御を行うことにより、従来のようにステーションの前面に設けられた操作レバーを人が操作することにより接続状態と非接続状態とを人為的に切替える構成と比較して、誤って操作レバーが操作されることにより接続状態から非接続状態に切替えられ、不本意に冷温蔵装置の運転が停止されることを抑制できる。
【００１１】
また、前記接続手段は、一方および他方が開口する筒状のダクトを含み、前記熱交換室には、前記ダクトの一方側の開口部が接続される第１接続部が設けられ、前記貯蔵室には、前記ダクトの他方側の開口部と接続することが可能な第２接続部が設けられ、前記ダクトは、前記ダクトの前記他方側の開口部の位置が前記第２接続部に対して近接ないし離間するよう、変位することが可能な構成とされ、前記制御部は、前記接続状態においては、前記ダクトの前記他方側の開口部が前記第２接続部に接続された状態となるよう前記ダクトを変位させ、前記非接続状態においては、前記ダクトの前記他方側の開口部と前記第２接続部とが離間した状態となるよう前記ダクトを変位させる構成としても良い。
【００１２】
接続手段は、他方側の開口部の位置が第２接続部に対して近接ないし離間することが可能なダクト（例えば、昇降ダクト）を含む構成とすることで、その近接ないし離間をコントロールすべくダクトの変位を制御することで、熱交換室と貯蔵室との接続、および、接続の解除を自在に行うことができる。
【００１３】
また、前記接続手段は、モータと、前記モータの駆動力によって、前記ダクトの前記他方側の開口部の位置が前記第２接続部に対して近接ないし離間するよう、前記ダクトの変位を切替える切替え機構と、を備え、前記制御部は、前記モータの駆動を制御することにより前記切替え機構を制御し、前記接続状態と前記非接続状態とを相互に切替える制御を行う構成としても良い。
【００１４】
制御部がモータの駆動を制御することにより、切替え機構を制御できる。これにより、接続状態と非接続状態とを相互に切替える制御を行うことができる。
【００１５】
また、所定のパスワードを記憶する記憶手段と、外部からパスワードの入力を受付ける入力受付手段と、を備え、前記制御部は、前記所定のパスワードと、前記入力受付手段によって入力されたパスワードとが等しいことを判定する処理を行う判定処理手段と、前記判定処理手段によって、前記所定のパスワードと前記入力されたパスワードとが等しいと判定された際に、前記接続状態から前記非接続状態に切替える制御を行う接続解除制御手段と、を備える構成としても良い。
【００１６】
判定処理手段によって入力されたパスワードが、記憶手段によって記憶された所定のパスワードと等しいことを確認した後、接続状態から非接続状態に切替える制御（接続解除制御手段）を行うことにより、例えば、担当者以外の者が冷温蔵装置を操作することにより接続状態から非接続状態に切替えられ、不本意に冷温蔵装置の運転が停止されることを抑制できる。
【発明の効果】
【００１７】
本開示によれば、不本意に運転が停止されることを抑制することが可能な冷温蔵装置を提供できる。
【図面の簡単な説明】
【００１８】
【図１】実施形態に係る冷温蔵装置の分解斜視図
【図２】カートがステーションに収納された状態の斜視図
【図３】図２の状態における冷温蔵装置の正断面図
【図４】ステーションの下方から視た斜視図であって、ダクト構成体８０付近の拡大図
【図５】ステーションの外殻を示す一部切欠斜視図
【図６】冷凍回路図
【図７】ダクト構成体を構成する取付部材およびダクトの斜視図
【図８】ダクト構成体を構成する取付部材およびダクトの平面図
【図９】操作レバーの回動軸の斜視図
【図１０】ダクト構成体が上昇位置にある場合を示す断面図
【図１１】ダクト構成体が最大に下降した状態を示す断面図
【図１２】ダクト構成体が下降位置にロックされた状態を示す断面図
【図１３】冷温蔵装置の電気的構成を示すブロック図
【図１４】第１入力画面の図
【図１５】第２入力画面の図
【図１６】第３入力画面の図
【図１７】制御部の動作を示すフロー図
【発明を実施するための形態】
【００１９】
＜実施形態１＞
本開示の実施形態１を図１から図１７を用いて説明する。本実施形態の冷温蔵装置１は、例えば、病院等で給食（貯蔵物）を配膳する場合に用いられる。図１に示すように、冷温蔵装置１は、カート１０と、ステーション５０と、を備えて構成されている。また、図４に示すように、ステーション５０には、ダクト構成体（接続手段）８０および制御部１２０が設けられている。
【００２０】
［カート１０］
図１に示すように、カート１０は、カート本体１１と、フレームカート３０と、を備えて構成されている。カート本体１１は、前後両面が開口された断熱箱体とされる。図２に示すように、カート本体１１の前後の開口部には、観音開き式の断熱扉１２（一部のみを図示）がそれぞれ装着されている。カート本体１１の前面の左右の側縁には、把手１４が設けられている。カート１０には、トレイＴが収納される。トレイＴには、図示しない貯蔵物が載せられる。
【００２１】
フレームカート３０は、底板３１の左右の側縁からフレーム３２が立ち上げられた形状をなしている。フレームカート３０は、カート本体１１内に前面側から出し入れ可能とされる。左右のフレーム３２の中間位置には仕切壁３３が設けられている。仕切壁３３は、単位仕切壁３３Ａを複数個積み上げて形成されている。
【００２２】
図３に示すように、左右のフレーム３２の内側の面には、複数のトレイ受け３４が設けられている。トレイ受け３４は、単位仕切壁３３Ａの上下の境面に相当する位置ごとに、複数段にわたって設けられている。トレイ受け３４と単位仕切壁３３Ａとは連結板３５によって連結されている。
【００２３】
図２に示すように、トレイＴは、合成樹脂によって形成されており、横長の矩形状をなしている。トレイＴには、境界部Ｔａが設けられている。トレイＴには、境界部Ｔａを挟んで幅広の第１載置部Ｔｂ、および幅狭の第２載置部Ｔｃが設けられている。
【００２４】
トレイＴは、境界部Ｔａが仕切壁３３を貫通し、かつ両端部がトレイ受け３４で受けられつつ前後両面から挿入される。トレイＴは、複数段にわたって収納されている。
【００２５】
図２、図３に示すように、フレームカート３０がカート本体１１内に収納されると、カート本体１１内には、左右の仕切壁３３によって仕切られた貯蔵室２０が形成される。貯蔵室２０は、左側に位置する温蔵室２０Ｈと、右側に位置する冷蔵室２０Ｃと、から構成されている。
【００２６】
図３に示すように、温蔵室２０Ｈおよび冷蔵室２０Ｃには、ステーション５０側で生成された冷気および暖気（気体）が個別に循環供給される。カート本体１１の左右の側壁には、空気流通路２１が形成されている。各空気流通路２１の内面には、複数段に分かれて吹出口２２が形成されている。
【００２７】
カート本体１１の天井壁２１Ａには、一対の吹出通口（第２接続部）２４、および、一対の吸込通口（第２接続部）２５が開口して設けられている。一対の吹出通口２４は、温蔵室２０Ｈ、および冷蔵室２０Ｃとそれぞれ連通している。同様に、一対の吸込通口２５は、温蔵室２０Ｈ、および冷蔵室２０Ｃとそれぞれ連通している。
【００２８】
［ステーション５０］
図１に示すように、ステーション５０は、正面と底面とが開口された箱状をなしている。一般的に、ステーション５０は、定位置に設置されて使用される。ステーション５０には、カート１０が出し入れ可能に収納される。
【００２９】
ステーション５０の内部には、収納室５２が設けられている。収納室５２には出入口５１が設けられている。カート１０は、収納室５２の出入口５１から収納される。図３に示すように、収納室５２の天井部分には、熱交換室６０が左右に区画されて形成されている。熱交換室６０は、トレイＴに載せられた給食を冷却、加熱する熱交換手段を有しており、左側に位置する第１熱交換室６０Ｈと、右側に位置する第２熱交換室６０Ｃとから構成されている。第１熱交換室６０Ｈは、温蔵室２０Ｈの直上に位置しており、第２熱交換室６０Ｃは、冷蔵室２０Ｃの直上に位置している。
【００３０】
図１、図２に示すように、ステーション５０の前面には、操作パネル５７が取り付けられている。操作パネル５７の内側（後側）には、図４に示すように、第１コントロールボックス１２１、およびタッチパネル（入力受付手段）１２２が設けられている。ここで、第１コントロールボックス１２１は、ステーション５０の前面における左側に配されており、タッチパネル１２２は、ステーション５０の前面における右側に配されている。操作パネル５７におけるタッチパネル１２２と対応する位置には開口部５７Ａが設けられている。タッチパネル１２２のスクリーンは、開口部５７Ａから視認可能となっている。冷温蔵装置１への運転開始、および運転停止の指示は、ユーザがタッチパネル１２２を操作することによって行われる。第１コントロールボックス１２１の内部には、各種装置を電気的に制御することが可能な制御基板（図示せず）が収容されている。
【００３１】
ステーション５０には、図６に示す冷凍回路６１が備えられている。冷凍回路６１は、第１冷却器６２Ｈと、第２冷却器（熱交換手段）６２Ｃと、圧縮機６６と、凝縮器ファン６７Ａ付きの凝縮器６７と、を備えて構成されている。第１冷却器６２Ｈ、第２冷却器６２Ｃ、圧縮機６６、および凝縮器６７は、冷媒配管６８によって循環接続されている。第１冷却器６２Ｈには膨張弁６５Ｈが接続され、膨張弁６５Ｈには切替弁６９が接続されている。また、第２冷却器６２Ｃには膨張弁６５Ｃが接続されている。
【００３２】
図３に示すように、第１冷却器６２Ｈおよび第２冷却器６２Ｃは、第１熱交換室６０Ｈおよび第２熱交換室６０Ｃ内にそれぞれ収容されている。また、第１熱交換室６０Ｈおよび第２熱交換室６０Ｃ内には、循環器ファン６４がそれぞれ設けられている。
【００３３】
図１、図２に示すように、熱交換室６０の上部には機械室５８が設けられている。圧縮機６６、凝縮器６７、および凝縮器ファン６７Ａは、機械室５８内に収容されている。また、機械室５８内には、第２コントロールボックス１２３が設けられている。
【００３４】
第２コントロールボックス１２３の内部には、各種装置を電気的に制御することが可能な制御基板（図示せず）が収容されている。第１コントロールボックス１２１の制御基板と、第２コントロールボックス１２３の制御基板とは、図示しない通信回線により接続されている。後述する制御部１２０は、第１コントロールボックス１２１の制御基板、および第２コントロールボックス１２３の制御基板によって構成されている。
【００３５】
冷凍回路６１が作動された場合において、切替弁６９が開放されていれば、第１冷却器６２Ｈおよび第２冷却器６２Ｃが冷却機能を発揮可能な状態にある。一方、切替弁６９が閉鎖されていれば、第２冷却器６２Ｃのみが冷却機能の発揮可能な状態となる。本実施形態では、切替弁６９は、閉鎖されている構成となっている。
【００３６】
図３に示すように、第１熱交換室６０Ｈには、第１冷却器６２Ｈに加えて温蔵室２０Ｈの内部を加熱するヒータ（熱交換手段）７０が設けられている。
【００３７】
図３に示すように、第１熱交換室６０Ｈの底面および第２熱交換室６０Ｃの底面には、一対の導入通口（第１接続部）７２、および一対の導出通口（第１接続部）７３が設けられている。導入通口７２は、貯蔵室２０の吹出通口２４と対向する位置に設けられており、導出通口７３は、貯蔵室２０の吸込通口２５と対向する位置に設けられている。
【００３８】
［ダクト構成体８０］
ダクト構成体８０は、熱交換室６０と貯蔵室２０とを接続することで、熱交換室６０内で生成された冷気または暖気を、貯蔵室２０内に通気させるものである。ダクト構成体８０は、昇降自在の昇降ダクトとされ、ダクト構成体８０が下降位置にある場合は、熱交換室６０および貯蔵室２０が接続している状態である接続状態（図１２に示す状態）となる。一方、ダクト構成体８０が上昇位置にある場合は、熱交換室６０と貯蔵室２０とは接続していない状態である非接続状態（図１０に示す状態）となる。
【００３９】
図４に示すように、ダクト構成体８０は、ステーション５０の天井面の下方に配設されている。ダクト構成体８０は、取付部材８１（図７に示す）と、ダクト８５（図７に示す）と、引張コイルばね９０（図１０に示す）と、切替え機構１００（図９に示す）と、を備えて構成されている。
【００４０】
図７に示すように、取付部材８１は、上面開口の浅い箱状をなしている。図８に示すように、取付部材８１には、４つの接続開口８２が設けられている。図１０に示すように、４つの接続開口８２のうち、２つの接続開口８２は、一対の導入通口７２と対応する位置に設けられており、残り２つの接続開口８２は一対の導出通口７３と対応する位置に設けられている。
【００４１】
図７に示すように、ダクト８５は、上下方向に開口する角筒状をなしており、取付部材８１の４つの接続開口８２にそれぞれ装着されている。また、ダクト８５は蛇腹状をなしており、軸線方向に沿って伸縮可能とされている。
【００４２】
図７に示すように、ダクト８５の上方の開口部８５Ａの開口縁部には、フランジ８８Ａが周設されている。図１０に示すように、各ダクト８５のフランジ８８Ａは、熱交換室６０側の導入通口７２の口縁、および導出通口７３の口縁にそれぞれ固定されている。これにより、各ダクト８５の開口部８５Ａは、導入通口７２および導出通口７３にそれぞれ接続されている。
【００４３】
図７に示すように、ダクト８５の下方の開口部８５Ｂ付近の外周には、フランジ８８Ｂが周設されている。下側のフランジ８８Ｂは厚肉に形成され、図１０に示すように、同フランジ８８Ｂの外周面には差込溝８９が周設されている。
【００４４】
図１０に示すように、ダクト８５の下端には、シール部８７が設けられている。シール部８７は、下側のフランジ８８Ｂの下面の内縁から垂下したのち、垂下端が外側にラッパ状に拡がった形状をなしている。
【００４５】
図１０に示すように、各ダクト８５は、下側のフランジ８８Ｂの差込溝８９に、接続開口８２の周縁を差し込むことで装着されている。ダクト８５は、接続開口８２の上面側の口縁から立ち上がっている。ダクト８５のシール部８７は、当該接続開口８２の下面側の口縁から下方に突出している。
【００４６】
引張コイルばね９０は、取付部材８１内の四隅にそれぞれ設けられている。図１０に示すように、各引張コイルばね９０の下端が取付部材８１の底部側に、上端が第１熱交換室６０Ｈおよび第２熱交換室６０Ｃの下面側にそれぞれ掛止されることによって、ダクト構成体８０は吊り下げ支持されている。ダクト構成体８０には、引張コイルばね９０の弾縮力によって、上昇力が付勢されている。
【００４７】
切替え機構１００は、ダクト構成体８０を昇降させる機構であって、接続状態（図１２に示すダクト構成体８０の状態）と非接続状態（図１０に示すダクト構成体８０の状態）との間を相互に切り替える機構である。図９に示すように、切替え機構１００は、回動軸１０１と、カム板１０４と、モータ１２４と、を備えて構成されている。
【００４８】
回動軸１０１は、前後方向に長い棒状をなしており、図１０から図１２に示すように、取付部材８１に回動可能に取り付けられている。図９に示すように、回動軸１０１の前端部には、ギア１２５が取り付けられている。カム板１０４は、回動軸１０１における後端寄りの位置、および前端から所定寸法中央に入った位置にそれぞれ固定されている。カム板１０４の先端にはローラ１１５が取り付けられている。
【００４９】
図７および図８に示すように、取付部材８１の底面の中央幅位置における前後両端部には、被当接板９２が設けられている。図１１、図１２に示すように、被当接板９２には、カム板１０４に設けられたローラ１１５が当接する。各被当接板９２の左側縁には、ストッパ板９３が起立して設けられている。
【００５０】
図４、図９に示すように、モータ１２４のシャフトには、ピニオンギア１２６が取り付けられている。ピニオンギア１２６は、回動軸１０１のギア１２５とかみ合っている。これにより、回動軸１０１は、モータ１２４の駆動力によって回動するようになっている。モータ１２４の駆動は、後述する制御部１２０からの制御信号によって制御される。
【００５１】
図１０に示すように、ダクト構成体８０が上昇位置にあり、非接続状態にある場合は、切替え機構１００は、カム板１０４の先端が右斜め下方を向いてローラ１１５が被当接板９２に当たった回動姿勢をとっている。また、各ダクト８５のシール部８７は、引張コイルばね９０の弾縮力によって、カート１０の上面よりも所定寸法高い位置に逃がされている。このため、各ダクト８５の下方の開口部８５Ｂの位置は、カート１０の吹出通口２４の口縁および吸込通口２５の口縁から離間した状態となっている。
【００５２】
モータ１２４の駆動によって回動軸１０１が時計回り方向に回動されると、前後のカム板１０４は、回動軸１０１の軸線回りに同方向に回動される。これに伴いカム板１０４の先端のローラ１１５が被当接板９２上を転動し、引張コイルばね９０が弾力に抗して伸長し、ダクト構成体８０は下方に変位される。これにより、ダクト８５は下方向に伸ばされ、ダクト８５の下方の開口部８５Ｂの位置は、吹出通口２４および吸込通口２５に近接するように変位する。
【００５３】
図１１に示すように、カム板１０４が真下を向いた姿勢を採るまで回動軸１０１が回動された状態が、ダクト構成体８０が最大に下げられた状態である。このとき、各ダクト８５のシール部８７は、カート１０における吹出通口２４の口縁および吸込通口２５の口縁に強く押し付けられる。
【００５４】
この状態から回動軸１０１がさらに同方向に回動されると、図１２に示すように、カム板１０４の先端のローラ１１５が少し左上方に逃げることとなる。これにより、ダクト構成体８０は、引張コイルばね９０の収縮力を受けてローラ１１５を追うようにして持ち上げられる。このとき、ローラ１１５が上記のように少し逃げたところでストッパ板９３に当たって停止することで、回動軸１０１のそれ以上の時計回り方向の回動が停止される。また、ストッパ板９３に当たって停止したローラ１１５に被当接板９２が下方から当接することで、ダクト構成体８０のそれ以上の上昇も停止され、ダクト構成体８０は、同位置に保持される。この位置がダクト構成体８０の下降位置であり、接続状態である。ダクト構成体８０の下降位置は、上記のようにダクト構成体８０が最大に下降された位置から若干は上昇するものの、各ダクト８５のシール部８７が、カート１０の上面に設けられた吹出通口２４の口縁および吸込通口２５の口縁に未だ密着し、すなわちシールされた状態に保持されるようになっている。
【００５５】
接続状態においてヒータ７０および循環器ファン６４が作動されると、温蔵室２０Ｈの内気は、吹出通口２４からダクト８５を介して導入通口７２側に通気され、第１熱交換室６０Ｈ内に流入する。第１熱交換室６０Ｈに流入した内気はヒータ７０によって加熱される。ヒータ７０により加熱された暖気は、第１熱交換室６０Ｈの導出通口７３からダクト８５を介して吸込通口２５側に流れ、温蔵室２０Ｈ内に流入する。これにより温蔵室２０Ｈに収容された貯蔵物は加熱される。同様に、冷凍回路６１および循環器ファン６４が作動すると、冷蔵室２０Ｃに収容された貯蔵物は冷却される。
【００５６】
冷温蔵装置１の運転の停止後にモータ１２４の駆動によって回動軸１０１が反時計回り方向に回動されると、引張コイルばね９０の復元収縮力によってダクト構成体８０は上昇位置に戻され、非接続状態となる。
【００５７】
［制御部１２０］
図１３に示すように、制御部１２０は、演算処理を行う演算部１３０と、情報を記憶することが可能な記憶部（記憶手段）１３１と、表示画面制御部１３３と、切替え制御部１３２と、判定処理部（判定処理手段）１３４と、接続解除制御部（接続解除制御手段）１３５と、を備えて構成されている。記憶部１３１には、予めユーザの定めた所定のパスワードが記憶されているものとする。
【００５８】
制御部１２０には、ヒータ７０、圧縮機６６、凝縮器ファン６７Ａ、モータ１２４、循環器ファン６４、およびタッチパネル１２２が電気的に接続されている。
【００５９】
切替え制御部１３２は、モータ１２４の駆動を制御することにより、ダクト構成体８０を作動させ、接続状態と非接続状態との間を相互に切替える制御を行う。
【００６０】
表示画面制御部１３３は、タッチパネル１２２のスクリーンに第１入力画面１４０（図１４に示す）、第２入力画面１５０（図１５に示す）、および第３入力画面１６０（図１６に示す）のいずれか一つの画面を表示する制御を行うとともに、タッチパネル１２２のスクリーンを通して外部から入力された情報の処理を行う。
【００６１】
図１４に示すように、第１入力画面１４０には、運転スタート／ストップボタン１４１が表示されている。運転スタート／ストップボタン１４１は、朝食運転スタート／ストップボタン１４１Ａ、昼食運転スタート／ストップボタン１４１Ｂ、および夕食運転スタート／ストップボタン１４１Ｃから構成されている。
【００６２】
朝食運転スタート／ストップボタン１４１Ａの表示は、冷温蔵装置１の運転停止時においては「朝食スタート」の文字列（図示せず）が表示され、冷温蔵装置１の運転開始後においては「朝食ストップ」の文字列（図１４に示す）が表示される。
【００６３】
判定処理部１３４は、記憶部１３１に記憶されている所定のパスワードと、後述する第３入力画面１６０から入力されたパスワードとが等しいか否かを判定する処理を行う。
【００６４】
接続解除制御部１３５は、冷温蔵装置１が接続状態にある場合に、判定処理部１３４が、記憶部１３１に記憶されているパスワードと、入力されたパスワードとが等しいと判定した際に、切替え制御部１３２が、接続状態から非接続状態に切替える制御を行う。
【００６５】
制御部１２０の動作を図１７のフロー図を用いて説明する。ここで、貯蔵物は温蔵室２０Ｈに収容されているものとする。
【００６６】
冷温蔵装置１の運転停止時において第１入力画面１４０の朝食運転スタート／ストップボタン１４１Ａが押されると（Ｓ１０１）、切替え制御部１３２は、ダクト構成体８０が上昇している状態である非接続状態からダクト構成体８０が下降している状態である接続状態に切替える制御を行う（Ｓ１０２）。また、表示画面制御部１３３は、第１入力画面１４０の朝食運転スタート／ストップボタン１４１Ａの「朝食スタート」の文字列を、「朝食ストップ」の文字列に変更する処理を行う（図１４に示す）。
【００６７】
次に、制御部１２０はヒータ７０および循環器ファン６４を作動させる制御を行う。これにより、冷温蔵装置１の運転は開始され（Ｓ１０３）、ヒータ７０により加熱された暖気は、循環器ファン６４によって温蔵室２０Ｈ内に通気される。これにより、温蔵室２０Ｈ内の貯蔵物は加熱される。
【００６８】
次に、冷温蔵装置１の運転中に朝食運転スタート／ストップボタン１４１Ａが押されると（Ｓ１０４）、表示画面制御部１３３は、図１４に示す第１入力画面１４０から、図１５に示す第２入力画面１５０に切り替える制御を行う（Ｓ１０５Ａ）。
【００６９】
第２入力画面１５０は、運転を停止するか否かを確認する運転ストップ確認画面とされる。第２入力画面１５０には、パスワード入力画面移行ボタン１５１、および、キャンセルボタン１５２が表示されている。キャンセルボタン１５２が押されると、表示画面制御部１３３は、第２入力画面１５０から第１入力画面１４０に切り替える制御を行い、冷温蔵装置１の運転は継続される。一方、パスワード入力画面移行ボタン１５１が押されると、表示画面制御部１３３は、図１５に示す第２入力画面１５０から、図１６に示す第３入力画面１６０に切り替える制御を行う（Ｓ１０６）。
【００７０】
第３入力画面１６０は、英数字によりパスワードを入力することが可能なパスワード入力画面とされる。判定処理部１３４が、第３入力画面１６０から入力されたパスワードと記憶部１３１に記憶された所定のパスワードとは等しいと判定した場合は（Ｓ１０７）、接続解除制御部１３５は、ヒータ７０および循環器ファン６４を停止させ、冷温蔵装置１の運転を停止させる（Ｓ１０８）。一方、判定処理部１３４が、第３入力画面１６０から入力されたパスワードと記憶部１３１に記憶された所定のパスワードとは等しくないと判定した場合は、表示画面制御部１３３は、第３入力画面１６０から第１入力画面１４０に切り替え、冷温蔵装置１の運転は継続される。
【００７１】
冷温蔵装置１の運転の停止後に、接続解除制御部１３５は、ダクト構成体８０が下降した状態である接続状態から、ダクト構成体８０が上昇した状態である非接続状態に切替える制御を行う（Ｓ１０９）。
【００７２】
なお、冷温蔵装置１の運転中に朝食運転スタート／ストップボタン１４１Ａが押されなかった場合は、所定の運転時間経過後（Ｓ１０５Ｂ）、ヒータ７０および循環器ファン６４を停止させ、冷温蔵装置１の運転を停止させる（Ｓ１０８）。
【００７３】
次に本実施形態の効果について説明する。本実施形態では、制御部１２０が、接続手段を接続状態と非接続状態とに切替わるよう制御を行うことにより、従来のようにステーションの前面に設けられた操作レバーを人が操作することにより接続状態と非接続状態とを人為的に切替える構成と比較して、誤って操作レバーが操作されることにより接続状態から非接続状態に切替えられ、不本意に冷温蔵装置１の運転が停止されることを抑制できる。
また、操作レバーを人が操作する構成と比較して、操作の簡略化を図ることができる。また、人による操作力の違いがなくなるため、操作力が強い人が操作した場合でも操作レバーが壊れないようにするための補強部品が不要となる。また、操作レバーが無くなることにより、従来のように操作パネル上に操作レバーが設けられている構成と比較して、タッチパネル１２２の配置の制限が緩和される。例えば、タッチパネル１２２を、操作パネル５７上の右側に配置することで、右利きの人に配慮した配置にできる。また、タッチパネル１２２を操作パネル５７上の右側に配置することで、タッチパネル１２２が操作パネル５７上の左側に配置されている構成と比較して、タッチパネル１２２は温蔵室２０Ｈよりも冷蔵室２０Ｃに近くなることから、タッチパネル１２２の温度が上昇することが抑えられ、タッチパネル１２２を長寿命化できる。また、制御部１２０を設けることによって、例えば、制御部１２０にパソコンを接続することにより、遠隔で運転開始、停止させることも可能となる。
【００７４】
また、ダクト構成体８０は、他方側の開口部８５Ｂの位置が吹出通口（第２接続部）２４、および、一対の吸込通口（第２接続部）２５に対して近接ないし離間することが可能なダクト８５を含む構成とすることで、その近接ないし離間をコントロールすべくダクトの変位を制御することで、熱交換室６０と貯蔵室２０との接続、および、接続の解除を自在に行うことができる。
【００７５】
また、制御部１２０がモータ１２４の駆動を制御することにより、切替え機構１００を制御できる。これにより、接続状態と非接続状態とを相互に切替える制御を行うことができる。
【００７６】
また、判定処理部（判定処理手段）１３４によって入力されたパスワードが、記憶部（記憶手段）１３１によって記憶された所定のパスワードと等しいことを確認した後、接続状態から非接続状態に切替える制御（接続解除制御部（接続解除制御手段）１３５）を行うことにより、例えば、担当者以外の者が冷温蔵装置１を操作することにより接続状態から非接続状態に切替えられ、不本意に冷温蔵装置１の運転が停止されることを抑制できる。
【００７７】
＜他の実施形態＞
本開示は上記記述および図面によって説明した実施形態に限定されるものではなく、例えば次のような実施形態も本開示の技術的範囲に含まれる。
【００７８】
（１）上記実施形態では、接続手段は、昇降することが可能なダクト構成体８０である構成としたが、これに限られることはなく、例えば、接続手段は、アクチュエータの駆動にあわせて伸縮自在な伸縮管である構成としても良い。
【００７９】
（２）上記実施形態では、貯蔵室２０は、一方が温蔵室２０Ｈとし、他方が冷蔵室２０Ｃである構成としたが、これに限られることはなく、例えば、いずれも冷蔵室である構成としても良い。
【００８０】
（３）上記実施形態では、入力受付手段はタッチパネル１２２である構成としたが、これに限られることはなく、例えば、入力受付手段は、物理ボタンである構成としても良い。
【符号の説明】
【００８１】
１：  冷温蔵装置
１０：  カート
１１：  カート本体
１２：  断熱扉
１３：  キャスタ
１４：  把手
２０：  貯蔵室
２０Ｃ：  冷蔵室
２０Ｈ：  温蔵室
２１：  空気流通路
２１Ａ：  天井壁
２２：  吹出口
２４：  吹出通口（第２接続部）
２５：  吸込通口（第２接続部）
３０：  フレームカート
３１：  底板
３２：  フレーム
３３：  仕切壁
３３Ａ：  単位仕切壁
３４：  トレイ受け
３５：  連結板
５０：  ステーション
５１：  出入口
５２：  収納室
５７：  操作パネル
５７Ａ：  開口部
５８：  機械室
６０：  熱交換室
６０Ｈ：  第１熱交換室
６０Ｃ：  第２熱交換室
６１：  冷凍回路
６２Ｈ：  第１冷却器
６２Ｃ：  第２冷却器（熱交換手段）
６４：  循環器ファン
６５Ｈ、６５Ｃ：  膨張弁
６６：  圧縮機
６７：  凝縮器
６７Ａ：  凝縮器ファン
６８：  冷媒配管
６９：  切替弁
７０：  ヒータ（熱交換手段）
７２：  導入通口（第１接続部）
７３：  導出通口（第１接続部）
８０：  ダクト構成体
８１：  取付部材
８２：  接続開口
８５：  ダクト
８５Ａ、８５Ｂ：  開口部
８７：  シール部
８８Ａ、８８Ｂ：  フランジ
８９：  差込溝
９０：  引張コイルばね
９２：  被当接板
９３：  ストッパ板
１００：  切替え機構
１０１：  回動軸
１０４：  カム板
１１５：  ローラ
１２０：  制御部
１２１：  第１コントロールボックス
１２２：  タッチパネル（入力受付手段）
１２３：  第２コントロールボックス
１２４：  モータ
１２５：  ギア
１２６：  ピニオンギア
１３０：  演算部
１３１：  記憶部（記憶手段）
１３２：  表示画面制御部
１３３：  切替え制御部
１３４：  判定処理部（判定処理手段）
１３５：  接続解除制御部（接続解除制御手段）
１４０：  第１入力画面
１４１：  運転スタート／ストップボタン
１４１Ａ：  朝食運転スタート／ストップボタン
１４１Ｂ：  昼食運転スタート／ストップボタン
１４１Ｃ：  夕食運転スタート／ストップボタン
１５０：  第２入力画面
１５１：  パスワード入力画面移行ボタン
１５２：  キャンセルボタン
１６０：  第３入力画面
Ｔ：  トレイ
Ｔａ：  境界部
Ｔｂ：  第１載置部
Ｔｃ：  第２載置部
【図１】
2020197360.tif 000003
【図２】
2020197360.tif 000004
【図３】
2020197360.tif 000005
【図４】
2020197360.tif 000006
【図５】
2020197360.tif 000007
【図６】
2020197360.tif 000008
【図７】
2020197360.tif 000009
【図８】
2020197360.tif 000010
【図９】
2020197360.tif 000011
【図１０】
2020197360.tif 000012
【図１１】
2020197360.tif 000013
【図１２】
2020197360.tif 000014
【図１３】
2020197360.tif 000015
【図１４】
2020197360.tif 000016
【図１５】
2020197360.tif 000017
【図１６】
2020197360.tif 000018
【図１７】
2020197360.tif 000019